(57)【要約】【課題】種々の運転状態を直接かつ同時的に認識可能とすることによって操作性能が高く、周囲環境に拘わらず、運転状態を確実に認識し得、更にマイナスイオンの利用効率が高いマイナスイオン発生装置を提供する。【解決手段】筐体１の正面に設けた帯状凸部５の上端部を含む適宜の領域はテーパ部５５にしてあり、テーパ部５５の上側半分の領域に第１吹出し口６１が開設してあり、下側半分の領域に複数の運転操作ボタン５６，５６，…、及び運転表示ランプ５９，５９，…等が配置してある。帯状凸部５のテーパ部５５近傍には正面視が矩形筒状の穴部５３が設けてあり、該穴部５３の奥部開口に透明な樹脂又はガラス等の透明塞止部材を嵌合固定して第１窓５１にしてある。また、穴部５３内の奥部天井には第１窓５１内へ青色光を出射するＬＥＤといった投光器５４が配設してある。【選択図】　　図１
2004116839.tif 000002
【特許請求の範囲】
【請求項１】
水を微細水滴化してマイナスイオンを生成するマイナスイオン生成機と、生成したマイナスイオンを含む空気を送風するための送風機と、該マイナスイオン生成機及び送風機を格納する筐体とを備え、該筐体に、マイナスイオンを含む空気を吹出す吹出し口と、前記マイナスイオン生成機及び送風機の起動又は停止を行うための１又は複数の第１ボタンと、前記マイナスイオン生成機によって微細水滴化されて生じた微細水滴を視認するための第１窓とが設けてあるマイナスイオン発生装置において、
前記筐体の正面に、前記吹出し口、第１ボタン及び第１窓が配設してあることを特徴とするマイナスイオン発生装置。
【請求項２】
前記マイナスイオン生成機は、前記第１窓に対向配置した水槽と、該水槽内に回転可能に配設してあり、水槽内の水を微細水滴化するためのファンとを具備しており、水槽の前記第１窓に対向する部分に、第２窓が設けてある請求項１記載のマイナスイオン発生装置。
【請求項３】
前記筐体の正面に適宜正面面積を有する凸部が設けてあり、該凸部の正面に穴部が設けてあり、該穴部内に前記第１窓が配設してあり、前記凸部の正面に、前記吹出し口及び第１ボタンが前記穴部と位置を異ならせて配設してある請求項１又は２記載のマイナスイオン発生装置。
【請求項４】
前記凸部の上端を含む適宜領域は、該上端へ向かうに従ってその厚さが薄くなるテーパ部にしてあり、該テーパ部の前記上端側の部分に前記吹出し口が配設してあり、前記テーパ部の前記上端側とは反対側の部分に前記第１ボタンが配設してある請求項３記載のマイナスイオン発生装置。
【請求項５】
前記穴部内又は前記第１窓より筐体の内部に投光器が配設してある請求項３又は４記載のマイナスイオン発生装置。
【請求項６】
前記テーパ部に、マイナスイオン生成機及び／又は送風機の起動・停止を表示する第１表示器が設けてある請求項４又は５記載のマイナスイオン発生装置。
【請求項７】
前記凸部の前記穴部の近傍に、前記マイナスイオン生成機及び／又は前記送風機の運転レベルを調整するための１又は複数の第２ボタンが配設してある請求項３から６のいずれかに記載のマイナスイオン発生装置。
【請求項８】
更に、前記凸部に、マイナスイオン生成機の運転レベルを表示する第２表示器が設けてある請求項７記載のマイナスイオン発生装置。
【請求項９】
前記筐体内には、マイナスイオンを生成する放電式マイナスイオン生成機が格納してあり、前記吹出し口とは別に、放電式マイナスイオン生成機が生成したマイナスイオンを吹出す別の吹出し口が、前記筐体の天井の一側近傍に設けてあり、前記水槽へ水を供給する給水口が前記天井の他側近傍に設けてある請求項２から８のいずれかに記載のマイナスイオン発生装置。
【発明の詳細な説明】
【０００１】
【発明の属する技術分野】
本発明は、レナード効果によりマイナスイオンを発生するマイナスイオン発生装置に関する。
【０００２】
【従来の技術】
電化製品等から放出されるプラスイオン又は静電気等によって人体は正電荷が帯電している場合が多く、かかる帯電をマイナスイオンによって中和することによって、リフレッシュ効果、更には健康増進効果が得られることが知られている。そのようなマイナスイオンを発生する装置として、水を微細化することによってプラスに帯電した水滴とマイナスに帯電した微細水滴とを生成し、マイナスに帯電した微細水滴を分離・送風する、所謂レナード式のマイナスイオン発生装置がある。
【０００３】
図５はレナード式の従来のマイナスイオン発生装置を示す外観斜視図であり、かかる装置は後記する特許文献１に開示されている。略直方体殻状のケース８１の底部四隅には車輪がそれぞれ取り付けてあり、これによってケース８１を移動自在にしてある。ケース８１内の底部の適宜領域には外気取入口が開設してあり、外気取入口はこれに連結した空気流通路を介してケース８１内の天井近傍に配設した送風機に連通させてある。
【０００４】
この送風機の下方には、一端を封止してなる円筒状のノズルが横架してあり、ノズルには下方へシャワー状に出水する複数の出水口がその軸長方向へ所定の間隔で突設してある。これら出水口の直下には、三角板状の複数のフィンを立設してなる衝壁が前記ノズルと平行に配置してあり、更に衝壁の下方に、適宜容量の水を蓄える水槽が配設してある。この水槽には前記ノズルの他端開口に接続した配水管が連結してあり、該配水管の中途には水槽内の水をノズルに供給するポンプが介装してある。
【０００５】
ポンプによって水槽内の水はノズルの各出水口からシャワー状に出水され、衝壁に設けた複数のフィンに衝突することによってマイナスに帯電した微細水滴が生成される。残りの大部分の水滴は水槽に落下し、再びポンプによってノズルに供給される。
【０００６】
前述したノズル及び衝壁は送風機から延設した略Ｕ字状のダクトの下降側送風路内に配置されており、該ダクトの排気側端はケース８１の天井に開設した長方形状の送風口８２に連接させてある。また、ダクトの送風口８２へ向かう上昇側送風路内には複数の邪魔板が交互に突設してある。
【０００７】
外気取入口から取り入れられた外気は送風機によってダクトの下降側送風路内に配設したノズル及び衝壁へ送気され、マイナスイオン及び微細水滴を含む雰囲気がダクトの上昇側送風路へ送られ、邪魔板によって気液分離されたマイナスイオンを含む空気が送風口８２から送気される一方、分離された水滴は前記水槽へ戻るようになっている。
【０００８】
ケース８１の正面であってダクトのノズル及び衝壁に対向する部分、即ちケース８１正面の中央より少し一側面側には、一側面を斜面になした横設直角四角錐台筒状の凹部８３が、四角錘台の上底部分がケース８１の奥側に位置し、かつ前記斜面がケース８１の上側に位置するように設けてある。そして、凹部８３の上底部分たる開口に透明封止部材を嵌合して透視窓８５が設けてある。また、ダクト内にはノズル及び衝壁に臨ませてＬＥＤといった投光器が配設してあり、該投光器からの投光によってノズルから出水され衝壁で微細水滴化される水滴流の状態が透視窓８５から観察し得るようになっている。
【０００９】
一方、ケース８１の天井であって送風口８２より正面側の位置には複数のボタン８７，８７，…が、ケース８１の奥行き方向と直交する幅方向へ一列に配設してあり、各ボタン８７，８７，…には送風機のオン・オフ機能、送風機による送風量の調整機能，ポンプのオン・オフ機能、ポンプによるノズルへの給水量の調節機能等が割り付けてある。
【００１０】
【特許文献１】
特開平１０−１２７７６８号公報（図１）
【００１１】
【発明が解決しようとする課題】
しかしながら、このような従来のマイナスイオン発生装置にあっては、ボタン８７，８７，…を操作することによって、送風のオン・オフ及び送風量の調整、並びにノズルへの給水のオン・オフ及び給水量の調整を行うようにしてあるが、送風口８２とボタン８７，８７，…とがケース８１の天井に配設してあり、透視窓８５がケース８１正面の中央より少し下側に配設してあるため、送風のオン・オフ及び送風量の調整、並びにノズルへの給水のオン・オフ及び給水量の調整を、送風口８２及び透視窓８５を介してユーザが直接、かつ同時的に認識することが困難であり、操作性能が低いという問題があった。また、凹部８３の上側縁部をテーパにすることによって、ユーザが透視窓８５を上方から覗き込めるようにしてあるが、これによって、透視窓８５に外光が入射して内部が視認し難い場合があるという問題もあった。
【００１２】
一方、微細化された水滴によってマイナスイオンを発生させる、所謂レナード効果により生じたマイナスイオンは、滝壷の周囲といった自然界でマイナスイオンが発生する原理と同じであり、このようにして生じたマイナスイオンは放電によって発生されたものに比べて寿命が長く、また人体に穏やかに作用するという利点を有するがしかし、レナード効果により生じたマイナスイオンは周囲への拡散力が比較的小さいという欠点を有している。従って、図５に示したように、ケース８１の天井に設けた送風口８２から送出されたマイナスイオンがユーザに利用される効率が低いという問題もあった。
【００１３】
本発明はかかる事情に鑑みてなされたものであって、その目的とするところは、種々の運転状態を直接かつ同時的に認識可能とすることによって操作性能が高く、周囲環境に拘わらず、運転状態を確実に認識し得、更にマイナスイオンの利用効率が高いマイナスイオン発生装置を提供することにある。
【００１４】
【課題を解決するための手段】
請求項１記載の発明は、水を微細水滴化してマイナスイオンを生成するマイナスイオン生成機と、生成したマイナスイオンを含む空気を送風するための送風機と、該マイナスイオン生成機及び送風機を格納する筐体とを備え、該筐体に、マイナスイオンを含む空気を吹出す吹出し口と、前記マイナスイオン生成機及び送風機の起動又は停止を行うための１又は複数の第１ボタンと、前記マイナスイオン生成機によって微細水滴化されて生じた微細水滴を視認するための第１窓とが設けてあるマイナスイオン発生装置において、前記筐体の正面に、前記吹出し口、第１ボタン及び第１窓が配設してあることを特徴とする。
【００１５】
請求項２記載の発明は、前記マイナスイオン生成機は、前記第１窓に対向配置した水槽と、該水槽内に回転可能に配設してあり、水槽内の水を微細水滴化するためのファンとを具備しており、水槽の前記第１窓に対向する部分に、第２窓が設けてあることを特徴とする。
【００１６】
請求項３記載の発明は、前記筐体の正面に適宜正面面積を有する凸部が設けてあり、該凸部の正面に穴部が設けてあり、該穴部内に前記第１窓が配設してあり、前記凸部の正面に、前記吹出し口及び第１ボタンが前記穴部と位置を異ならせて配設してあることを特徴とする。
【００１７】
請求項４記載の発明は、前記凸部の上端を含む適宜領域は、該上端へ向かうに従ってその厚さが薄くなるテーパ部にしてあり、該テーパ部の前記上端側の部分に前記吹出し口が配設してあり、前記テーパ部の前記上端側とは反対側の部分に前記第１ボタンが配設してあることを特徴とする。
【００１８】
請求項５記載の発明は、前記穴部内又は前記第１窓より前記筐体の内部に投光器が配設してあることを特徴とする。
【００１９】
請求項６記載の発明は、前記テーパ部に、マイナスイオン生成機及び／又は送風機の起動・停止を表示する第１表示器が設けてあることを特徴とする。
【００２０】
請求項７記載の発明は、前記凸部の前記穴部の近傍に、前記マイナスイオン生成機及び／又は前記送風機の運転レベルを調整するための１又は複数の第２ボタンが配設してあることを特徴とする。
【００２１】
請求項８記載の発明は、更に、前記凸部に、マイナスイオン生成機の運転レベルを表示する第２表示器が設けてあることを特徴とする。
【００２２】
請求項９記載の発明は、前記筐体内には、マイナスイオンを生成する放電式マイナスイオン生成機が格納してあり、前記吹出し口とは別に、放電式マイナスイオン生成機が生成したマイナスイオンを吹出す別の吹出し口が、前記筐体の天井の一側近傍に設けてあり、前記水槽へ水を供給する給水口が前記天井の他側近傍に設けてあることを特徴とする。
【００２３】
【発明の実施の形態】
本発明では、水を微細水滴化してマイナスイオンを生成するマイナスイオン生成機、及び生成したマイナスイオンを含む空気を送風するための送風機を格納する筐体の正面に、マイナスイオンを含む空気を吹出す吹出し口、前記マイナスイオン生成機及び送風機の起動又は停止を行うための１又は複数の第１ボタン、及びマイナスイオン生成機によって微細水滴化されて生じた微細水滴を視認するための第１窓が設けてあるため、第１ボタンを操作する姿勢のままで、吹出し口からの吹出し状態を感得することができると共に、第１窓からマイナスイオン生成機の作動状態を視認することができる。このように、種々の運転状態を直接かつ同時的に認識することができ、操作性能が高い。
【００２４】
一方、筐体の正面に設けた吹出し口から、所謂レナード効果によるマイナスイオンを吹出すため、筐体の正面にユーザが位置するように筐体の向きを調整することによって、吹出されたマイナスイオンがユーザに効率よく利用される。
【００２５】
また、本発明では、第１窓に対向配置した水槽と、水槽内に回転可能に配設してあり、水槽内の水を微細水滴化するためのファンとを具備するマイナスイオン生成機が筐体内に格納してある場合でも、水槽の前記筐体の正面に設けた第１窓に対向する部分に、第２窓が設けてあるため、第１ボタンを操作する姿勢のままで、吹出し口からの吹出し状態を感得することができると共に、第１窓及び第２窓からマイナスイオン生成機の作動状態を視認することができる。従って、前同様、種々の運転状態を直接かつ同時的に認識することができ、操作性能が高い。
【００２６】
更に本発明では、筐体の正面に設けた凸部に吹出し口、第１ボタン及び第１窓が集中的に配設してあるため、更に、種々の運転状態を直接かつ同時的に認識することができ、操作性能が高い。一方、前記凸部に設けた穴部内に第１窓が配設してあるため、第１窓に外光が入射することが防止され、周囲環境に拘わらず、運転状態を確実に認識することができる。
【００２７】
一方、本発明では、筐体正面に設けた凸部の上端を含む適宜領域は、該上端へ向かうに従ってその厚さが薄くなるテーパ部にしてあり、このテーパ部の前記上端側の部分に吹出し口が配設してあり、テーパ部の前記上端側とは反対側の部分に第１ボタンが配設してあるため、第１ボタンの操作時に手指又は顔等、四季を通じて通常、肌が露出している部分が吹出し口と対向することになり、吹出し口から吹き出される風の有無、強弱、乾燥しているか湿っているかの別等を確実に、また第１窓を介した視認と同時的に認識することができる。
【００２８】
また、本発明では、穴部内又は第１窓より筐体の内部に配設した投光器から、筐体の内部へ投光する。これによって、マイナスイオン生成機の運転状態の視認を更に確実に行うことができる。
【００２９】
一方、本発明では、凸部のテーパ部に設けた第１表示器によって、マイナスイオン生成機及び／又は送風機の起動・停止を表示する。従って、吹出し口からの吹出し状態、第１窓からの視認に加えて、第１表示器の表示によって、更に、同時的かつ直接的に、種々の運転状態を認識することができる。
【００３０】
また、本発明では、凸部の穴部の近傍に配設した第２ボタンによって、マイナスイオン生成機及び／又は送風機の強弱といった運転レベルを調整する。これによって、第２ボタンの操作姿勢のままで、吹出し口からの吹出し状態を感得することができると共に、第１窓からマイナスイオン生成機の運転レベルを視認することができる。このように、種々の運転レベルを直接かつ同時的に認識することができ、操作性能が高い。
【００３１】
更に、本発明では、凸部に設けた第２表示器によって、マイナスイオン生成機の運転レベルを表示する。これによって、吹出し口からの吹出し状態、第１窓からの視認に加えて、第２表示器の表示によって、更に、同時的かつ直接的に、マイナスイオン生成機の運転レベルを認識することができる。
【００３２】
一方、他の本発明では、レナード効果によるマイナスイオンの吹出し口とは別に、筐体内の放電式マイナスイオン生成機が生成したマイナスイオンを吹出す別の吹出し口が、筐体の天井の一側近傍に設けてあり、水槽へ水を供給する給水口が天井の他側近傍に設けてある。これによって、水槽への給水の操作性がよい一方、給水を確実に行うことができる。
【００３３】
【実施例】
以下、本発明の内容を図面に基づいて詳述する。
【００３４】
図１は本発明に係るマイナスイオン発生装置を示す外観斜視図であり、図２は図１に示したマイナスイオン発生装置の側断面図、図３は図１に示したマイナスイオン発生装置の背面断面図である。このマイナスイオン発生装置は、所謂レナード式のマイナスイオン発生機と、所謂放電式のマイナスイオン発生機とを筐体１内に格納してある。
【００３５】
筐体１は、四隅が丸みをおびた長方体殻の一長辺側である正面の中央に、底面視が台形殻状の帯状凸部５を、その高さ方向の略全領域に渡って設けた形状をしており、筐体１の正面側の二隅を含む適宜領域はそれぞれ縦長の開閉扉３，３にしてある。両開閉扉３，３には、その高さ方向へ開設した複数条の外気取入口４，４，…が横方向へ適宜の間隔で配置してあり、開閉扉３，３の背面には、外気中の比較的大きな塵を取り除くプレフィルタが、外気取入口４，４，…を塞ぐ態様で着脱自在に取り付けてある。
【００３６】
筐体１の底部側にはシロッコファン１１及びファンモータ１２を備える第１ファン１０が、筐体１の幅方向の略中央を正面から背面へ貫通する軸回りにシロッコファン１１が回転するように配設してあり、第１ファン１０は筐体１正面側に開口を設けてなるファンケース１３内に格納してある。ファンケース１３の開口はＵＬＰＡ等のフィルタで塞止してあり、このフィルタは枠状の押さえ部材１６によって着脱自在に支持されている。
【００３７】
第１ファン１０の上方には、筐体１の中央より少し筐体１の一側がわの位置から筐体１の他側近傍に渡る略矩形箱状の貯水槽１５が、第１ファン１０から所定距離を隔てて配設してある。第１ファン１０と貯水槽１５との間にはレナードモータ１８がその回転軸１９を上にして配置してあり、該回転軸１９は貯水槽１５の一側がわの底部を貫通して貯水槽１５内の所定高さまで突出させてある。
【００３８】
貯水槽１５内の回転軸１９には、脚断ロート形状の本体２２内部の中心軸上に、上端を閉止してなる筒状の軸受け部２３を立設してなるレナードファン２６が、該軸受け部２３を回転軸１９に外嵌させた状態で固定してある。前記本体２２の外周面には該本体２２の下縁から上縁に渡る複数条の溝が周方向へ適宜の間隔で形成してある。本体２２の上部周縁には平環状のフランジ２５が突設してあり、該フランジ２５の外周縁には複数の櫛歯２４，２４，…が周方向へ所定の間隔で放射状に垂設してある。
【００３９】
貯水槽１５の開口の一半分であってレナードファン２６側の領域は、通気口を設けてなるレナードカバー１７で塞止してあり、レナードカバー１７の貯水槽１５の略中央に位置する縁部はレナードファン２６の上部周面を囲むようにしてある。また、レナードカバー１７の通気口には前述したファンケース１３から延設したダクト１４が連結してある。一方、貯水槽１５の開口の他半分は、竪型二重筒体内でサイクロン方式で気液分離を行う気液分離器３０で塞止してある。
【００４０】
貯水槽１５にはレナードファン２６の略中央の高さまで水を注水するようにしてあり、レナードモータ１８の回転軸１９の駆動によりレナードファン２６が回転すると、貯水槽１５内の水がぬれ性によって、主に本体２２外周面の溝に沿って上昇し、フランジ２５の近傍で遠心力によって飛散し、それが櫛歯２４，２４，…によって打撃破砕されて一部が微細水滴になると共に、更に周囲のレナードカバー１７の縁部及び貯水槽１５の上部内周面に衝突することによって、マイナスに帯電した微細水滴が高効率に生成される。
【００４１】
第１ファン１０によって生起された風はファンケース１３及びダクト１４を介してレナードカバー１７の通気口からレナードファン２６の周囲へ送られ、この送風によって、マイナスイオン及び微細水滴を含む雰囲気が気液分離器３０内へ導入される。そこで、水滴が除去されてマイナスイオンを含む湿った雰囲気が気液分離器３０の送出口３１から送出される。
【００４２】
筐体１の天井部分は、着脱式の上部カバー２にしてあり、該上部カバー２の筐体１の他側近傍であって、前記気液分離器３０の送出口３１に対向する部分には、給水口３５が設けてあり、給水口３５は開閉自在に設けた給水蓋３６で密閉してある。この給水口３５と気液分離器３０の送出口３１との間には、送風路４０を構成する邪魔壁部４１が介装してあり、邪魔壁部４１によって送風路４０内へ導かれたマイナスイオンを含む雰囲気は、該送風路４０によって筐体１の正面上部へ誘導される。
【００４３】
なお、レナードファン２６を作動させることなく、第１ファン１０を作動させた場合、プレフィルタ及びフィルタによって粉塵等が濾過された清浄な空気が送風路４０に導入されるため、空気清浄機としても動作する。
【００４４】
筐体１の正面に設けた帯状凸部５の上端部を含む適宜の領域は、該上端部へ向かうに従ってその厚さが薄くなる平面視が略台形状のテーパ部５５にしてある。このテーパ部５５の上側半分の領域にはその幅寸法より少し短い幅寸法の長方形の第１吹出し口６１が開設してあり、第１吹出し口６１にはルーバ６３が装着してある。
【００４５】
一方、筐体１内の貯水槽１５とは反対側である筐体１の一側近傍には、放電によりマイナスイオンを生成する柱状の放電器２１が配設してあり、放電器２１は上部カバー２の前記給水蓋３６と反対側の側部部近傍に設けた第２吹出し口６２に連結してある。また、放電器２１には第２ファン２０が連結してあり、放電器２１による放電で生成したマイナスイオンは、第２ファン２０からの送風によって第２吹出し口６２から送出される。
【００４６】
このように、第２吹出し口６２が上部カバー２の一側近傍に設けてあり、給水口３５が上部カバー２の他側近傍に設けてあるため、貯水槽１５への給水の操作性がよい一方、第２吹出し口６２内へ誤って給水することが防止され、給水口３５に確実に給水することができる。
【００４７】
ところで、前述した帯状凸部５のテーパ部５５の下側半分の領域には、第１基盤７１に実装された複数の運転操作ボタン５６，５６，…、及び運転表示ランプ５９，５９，…等が配置してある。帯状凸部５のテーパ部５５近傍には正面視が矩形筒状の穴部５３が設けてあり、該穴部５３の奥部開口に透明な樹脂又はガラス等の透明塞止部材を嵌合固定して第１窓５１にしてある。また、穴部５３内の奥部天井には第１窓５１内へ青色光を出射するＬＥＤといった投光器５４が配設してある。なお、本実施例では、投光器５４を穴部５３内に配設してあるが、本発明はこれに限らず、第１窓５１より筐体１の内部側の適宜位置に配設してもよいことはいうまでもない。
【００４８】
一方、貯水槽１５の第１窓５１に対向する部分には、第１窓５１と略同じ大きさの開口が設けてあり、該開口に透明な樹脂又はガラス等の透明塞止部材を嵌合固定して、第２窓５２にしてある。これら第１窓５１及び第２窓５２はレナードファン２６に対向する位置に設けてあり、投光器５４からの投光によって第１窓５１及び第２窓５２を介して、レナードファン２６の運転状態及び運転レベルを観察し得るようになっている。このとき、第１窓５１は帯状凸部５に設けた筒状の穴部５３の奥に、該穴部５３で周囲を取り囲まれる状態にしてあるため、外光の入射が可及的に抑制される一方、投光器５４からの投光によって内部を明瞭に観察することができる。また、第１窓５１及び第２窓５２によって二重窓になるため、レナードファン２６の運転音の漏出が防止される。
【００４９】
ところで、前述した貯水槽１５の他側近傍の底部には排水口が開設してあり、該排水口には電磁弁４５を介装してなる配水管４６の一端が連結してある。この配水管４６の他端は、該配水管４６の下方に着脱自在に設置したタンク４７の上部に設けた給排水口に接合してある。また、貯水槽１５の周壁には縦長長方形状の開口が設けてあり、該開口には開口の内寸と略同じ外寸の水位検出器３７が固着してある。そして、水位検出器３７が貯水槽１５内の水のハイレベルを検出した場合、又は水位検出器３７がローレベルを検出してから所定時間（例えば２４時間）経過した場合、電磁弁４５が開放状態になって貯水槽１５内の水がタンク４７内へ排水されるようになっている。
【００５０】
一方、帯状凸部５の穴部５３の下縁近傍には、マイナスイオン発生装置の運転レベルを調整するボタンを含む複数の調節用ボタン６６，６６，…及び運転レベルを表示する運転レベル表示ランプ６７，６７，…等がそれぞれ配設してあり、これら調整用ボタン６６，６６，…及び運転レベル表示ランプ６７，６７，…等は第２基盤７２に実装してある。
【００５１】
図４は図１に示した帯状凸部５の要部を示す部分拡大正面図である。なお、図中、図１に示した部分に対応する部分には同じ番号を付してその説明を省略する。図４に示したように、テーパ部５５の第１吹出し口６１の下縁近傍には、レナード効果によるマイナスイオンの送出レベルを段階的に表示する第１イオンレベル表示バー５７、及び放電によるマイナスイオンの送出レベルを段階的に表示する第２イオンレベル表示バー５８が、一線分状に設けてある。
【００５２】
この第１イオンレベル表示バー５７は、例えば、第１ファン１０及びレナードモータ１８（共に図３参照）が共にハイレベルの場合、最大レベルを示す４つの発光を行い、第１ファン１０又はレナードモータ１８がハイレベルで、レナードモータ１８又は第１ファン１０がローレベルの場合、中レベルを示す３つ又は２つの発光を行い、第１ファン１０及びレナードモータ１８が共にローレベルの場合、低レベルを示す１つの発光を行い、レナードモータ１８が停止している場合は、第１ファン１０の運転状態に拘わらずにイオンレベルを示す発光を行わないようになっている。
【００５３】
第２イオンレベル表示バー５８は、例えば、第２ファン２０（図３参照）がハイレベルの場合、大レベルを示す２つの発光をし、第２ファン２０がローレベルの場合、小レベルを示す１つの発光をするようになっている。
【００５４】
また、テーパ部５５の第１及び第２イオンレベル表示バー５７，５８より下方の部分に、図面に向かって右より順に、例えば、全ての運転を停止させる（「切」）運転操作ボタン５６、レナードモータ１８をローレベルで運転させ、第１ファン１０をローレベルで運転させ、第２ファン２０をローレベルで運転させる（「ソフト」）運転操作ボタン５６、レナードモータ１８をローレベルで運転させ、第１ファン１０をハイレベルで運転させ、第２ファン２０をローレベルで運転させる（「標準」）運転操作ボタン５６、及びレナードモータ１８をハイレベルで運転させ、第１ファン１０をハイレベルで運転させ、第２ファン２０をハイレベルで運転させる（「急速」）運転操作ボタン５６がそれぞれ配置してある。
【００５５】
更に、これら運転操作ボタン５６，５６，…の側方に、レナードモータ１８の運転時に点灯する（「ビッグ」）運転表示ランプ５９、第２ファン２０の運転時に点灯する（「プチ」）運転表示ランプ５９、及び第１ファン１０の運転時に点灯する（「空気清浄」）運転表示ランプ５９が、マイナスイオン発生装置の概略図と共にその相当位置にそれぞれ配置してある。
【００５６】
そして、前述した如く、帯状凸部５のテーパ部５５の下側縁部の近傍奥方に第１窓５１が配設してある。このように、テーパ部５５の上側の部分に第１吹出し口６１が配設してあり、該第１吹出し口６１の下縁近傍に運転操作ボタン５６，５６，…が配設してあり、更に帯状凸部５の運転操作ボタン５６，５６，…の下方に第１窓５１が配設してあるため、ユーザは、第１吹出し口６１からの吹出し状態を直接的に感得することができると共に、第１窓５１からレナードファン２６の運転状態を直接視認することができる。これによって、種々の運転状態を直接かつ同時的に認識することができ、操作性能が高い。
【００５７】
一方、筐体１の正面に設けた第１吹出し口６１から、レナード効果によるマイナスイオンを吹出すため、筐体１の正面にユーザが位置するように筐体１の向きを調整することによって、第１吹出し口６１から吹出されたマイナスイオンがユーザに効率よく利用される。
【００５８】
また、テーパ部５５の運転操作ボタン５６，５６，…の近傍に第１イオンレベル表示バー５７及び第２イオンレベル表示バー５８が配設してあるため、第１吹出し口６１からの吹出し状態、第１窓５１からの視認に加えて、第１イオンレベル表示バー５７及び第２イオンレベル表示バー５８の表示によって、運転操作ボタン５６，５６，…を操作する姿勢のままで、更に同時的かつ直接的に、種々の運転レベルを認識することができる。
【００５９】
加えて、テーパ部５５の運転操作ボタン５６，５６，…の側方に運転表示ランプ５９，５９，…が配設してあるため、運転操作ボタン５６，５６，…の操作と同時的に、種々の運転状態を視認することができ、操作性が更に高い。
【００６０】
ところで、帯状凸部５の穴部５３の下縁近傍には、配水管４６に介装した電磁弁４５（共に図３参照）を開放させる排水ボタン６８、第２ファン２０の運転レベル（強弱及び停止）を調整するための調整用ボタン６６、第１ファン１０及びレナードモータ１８の運転レベル（強弱及び停止）を調整する調整用ボタン６６、第１ファン１０の運転レベル（強弱及び停止）を調整するための調整用ボタン６６がこの順で縦に配設してあり、各調整用ボタン６６，６６，６６に対応して運転レベル（強弱及び停止）を各別に表示する運転レベル表示ランプ６７，６７，…がそれぞれ配設してある。
【００６１】
これによって、ユーザは、運転レベルを調整すべく、各調整用ボタン６６，６６，６６を操作する姿勢で第１吹出し口６１からの吹出し状態を感得することができると共に、第１窓６１からレナードファン２６の運転レベルを視認することができるため、種々の運転レベルを直接かつ同時的に認識することができ、操作性能が高い。
【００６２】
なお、本実施例では、本体２２の上部周縁に突設したフランジ２５に複数の櫛歯２４，２４，…を垂設してなるレナードファン２６によってマイナスイオンを発生させる場合について説明したが、本発明はこれに限らず、レナード効果によりマイナスイオンを発生する装置、特に、貯水槽１５内でマイナスイオンを発生させる装置に適用し得ることはいうまでもない。
【００６３】
【発明の効果】
請求項１記載の発明によれば、水を微細水滴化してマイナスイオンを生成するマイナスイオン生成機、及び生成したマイナスイオンを含む空気を送風するための送風機を格納する筐体の正面に、マイナスイオンを含む空気を吹出す吹出し口、前記マイナスイオン生成機及び送風機の起動又は停止を行うための１又は複数の第１ボタン、及びマイナスイオン生成機によって微細水滴化されて生じた微細水滴を視認するための第１窓が設けてあるため、第１ボタンを操作する姿勢のままで、吹出し口からの吹出し状態を感得することができると共に、第１窓からマイナスイオン生成機の作動状態を視認することができる。このように、種々の運転状態を直接かつ同時的に認識することができ、操作性能が高い。一方、筐体の正面に設けた吹出し口から、所謂レナード効果によるマイナスイオンを吹出すため、筐体の正面にユーザが位置するように筐体の向きを調整することによって、吹出されたマイナスイオンがユーザに効率よく利用される。
【００６４】
また、請求項２記載の発明によれば、第１窓に対向配置した水槽と、水槽内に回転可能に配設してあり、水槽内の水を微細水滴化するためのファンとを具備するマイナスイオン生成機が筐体内に格納してある場合でも、水槽の前記筐体の正面に設けた第１窓に対向する部分に、第２窓が設けてあるため、第１ボタンを操作する姿勢のままで、吹出し口からの吹出し状態を感得することができると共に、第１窓及び第２窓からマイナスイオン生成機の運転状態を視認することができる。従って、前同様、種々の運転状態を直接かつ同時的に認識することができ、操作性能が高い。また、第１窓及び第２窓によって二重窓が形成してあるため、前記ファンの運転音の漏出が防止される。
【００６５】
請求項３記載の発明によれば、筐体の正面に設けた凸部に吹出し口、第１ボタン及び第１窓が集中的に配設してあるため、更に、種々の運転状態を直接かつ同時的に認識することができ、操作性能が高い。一方、前記凸部に設けた穴部内に第１窓が配設してあるため、第１窓に外光が入射することが防止され、周囲環境に拘わらず、運転状態を確実に認識することができる。
【００６６】
請求項４記載の発明によれば、筐体正面に設けた凸部の上端を含む適宜領域は、該上端へ向かうに従ってその厚さが薄くなるテーパ部にしてあり、このテーパ部の前記上端側の部分に吹出し口が配設してあり、テーパ部の前記上端側とは反対側の部分に第１ボタンが配設してあるため、第１ボタンの操作時に手指又は顔等、四季を通じて通常、肌が露出している部分が吹出し口と対向することになり、吹出し口から吹き出される風の有無、強弱、乾燥しているか湿っているかの別等を確実に、また第１窓を介した視認と同時的に認識することができる。
【００６７】
請求項５記載の発明によれば、穴部内又は第１窓より筐体の内部に配設した投光器から投光して内部を明るくするため、マイナスイオン生成機の運転状態の視認を更に確実に行うことができる。
【００６８】
請求項６記載の発明によれば、凸部のテーパ部に設けた第１表示器によって、マイナスイオン生成機及び／又は送風機の起動・停止を表示するため、吹出し口からの吹出し状態、第１窓からの視認に加えて、第１表示器の表示によって、更に、同時的かつ直接的に、種々の運転状態を認識することができる。
【００６９】
請求項７記載の発明によれば、凸部の穴部の近傍に配設した第２ボタンによって、マイナスイオン生成機及び／又は送風機の強弱といった運転レベルを調整するため、第２ボタンの操作姿勢のままで、吹出し口からの吹出し状態を感得することができると共に、第１窓からマイナスイオン生成機の運転レベルを視認することができる。このように、種々の運転レベルを直接かつ同時的に認識することができ、操作性能が高い。
【００７０】
請求項８記載の発明によれば、凸部に設けた第２表示器によって、マイナスイオン生成機の運転レベルを表示するため、吹出し口からの吹出し状態、第１窓からの視認に加えて、第２表示器の表示によって、更に、同時的かつ直接的に、マイナスイオン生成機の運転レベルを認識することができる。
【００７１】
一方、請求項９記載の本発明によれば、レナード効果によるマイナスイオンの吹出し口とは別に、筐体内の放電式マイナスイオン生成機が生成したマイナスイオンを吹出す別の吹出し口が、筐体の天井の一側近傍に設けてあり、水槽へ水を供給する給水口が天井の他側近傍に設けてあるため、水槽への給水の操作性がよい一方、給水を確実に行うことができる等、本発明は優れた効果を奏する。
【図面の簡単な説明】
【図１】本発明に係るマイナスイオン発生装置を示す外観斜視図である。
【図２】図１に示したマイナスイオン発生装置の側断面図である。
【図３】図１に示したマイナスイオン発生装置の背面断面図である。
【図４】図１に示した帯状凸部の要部を示す部分拡大正面図である。
【図５】レナード式の従来のマイナスイオン発生装置を示す外観斜視図である。
【符号の説明】
１　　筐体
２　　上部カバー
５　　帯状凸部
１５　貯水槽
２６　レナードファン
３５　給水口
４５　電磁弁
５１　第１窓
５２　第２窓
５３　穴部
５４　投光器
５５　テーパ部
５６　運転操作ボタン
５７　第１イオンレベル表示バー
５８　第２イオンレベル表示バー
５９　運転表示ランプ
６１　第１吹出し口
６２　第２吹出し口
６６　調整用ボタン
６７運転レベル表示ランプ
【図１】
2004116839.tif 000003
【図２】
2004116839.tif 000004
【図３】
2004116839.tif 000005
【図４】
2004116839.tif 000006
【図５】
2004116839.tif 000007